(57)【特許請求の範囲】
【請求項１】
遊戯台の隣接位置に取り付けられているホルダと、このホルダに対して着脱可能に取り付けられている台間機本体とを有し、前記台間機本体は遊戯台上下方向に分割された複数の台間機本体部分から構成され、各台間機本体部分は前記ホルダに対して独立して着脱できるように取り付けられている台間機において、
前記ホルダには、一台の第１の台間機本体部分と、同一形状および同一寸法の部分を備えた複数台の第２の台間機本体部分の中から選択された一台の第２の台間機本体部分とが装着されており、
前記第１の台間機本体部分は制御器およびカードリーダライタを備えており、
前記ホルダに取り付けられている中継器を介して、前記第１の台間機本体部分と前記第２の台間機本体部分とが電気的に接続されて、前記第１の台間機本体部分に備わっている前記制御器によって前記第２の台間機本体部分が制御され、
前記第２の台間機本体部分を差し替えると台間機仕様が変更されることを特徴とする台間機。
【請求項２】
請求項１において、
前記第２の台間機本体部分は、紙幣識別機、硬貨識別機、灰皿、空気清浄機、および動画表示装置のうちの少なくとも一つを備えたもの、または、ダミー用の台間機本体部分であることを特徴とする台間機。
【発明の詳細な説明】
【０００１】
【発明の属する技術分野】
本発明は、隣接するパチンコ台等の遊戯台で使用するパチンコ玉などの遊戯媒体の貸し出しを行う台間機に関するものである。さらに詳しくは、本発明は、遊戯台の隣接位置に取り付けたホルダに対して台間機本体が着脱可能に取り付けられた構成の台間機において、そのメンテナンス、レイアウト変更などを簡単に行い得るようにした改良技術に関するものである。
【０００２】
【従来の技術】
一般に、パチンコホール等の遊技場では複数列の遊戯島が配置されており、各遊戯島は、複数台の遊戯台と、各遊戯台の間に配置された台間機から構成されている。台間機は隣接配置されている遊戯台で使用するパチンコ玉、メダル等の遊戯媒体を投入されたプリペイドカードや現金等の有価証券の額に応じて貸し出すためのものであり、遊戯者は遊戯台に正対して座ったままで遊戯媒体の貸し出しを受けることができるので便利である。
【０００３】
この台間機としては、一般に、投入された金額に応じて直接に遊戯媒体を貸し出す方式のもの（玉貸機、メダル貸機などと呼ばれるもの）と、遊戯台との間で通信を行って遊戯台から遊戯媒体を貸し出させる方式のもの（ユニットと呼ばれるもの）とが知られている。
【０００４】
ここで、台間機は遊戯台の間等における限られたスペースに設置する必要があるので、遊戯台間の狭いスペースを有効利用できるように、縦長で奥行きのある上下に細長い直方体形状とされている。また、故障時の修理や、定期的な保守点検作業を簡単に行うことができるように、遊戯台間に配置されたホルダと、このホルダに対して着脱可能に取り付けた台間機本体とを備えた構成とされている。台間機本体を着脱式とすることにより、故障時などにおいては、台間機本体をホルダから遊戯台の手前側に引き出すことにより当該台間機本体をホルダから抜き取って修理などを行うことができ、修理後には、ホルダに対して遊戯台手前側か奥に向けて台間機本体を押し込むことにより、修理後の台間機本体をホルダに取り付けることができる。
【０００５】
台間機本体を着脱式とした構成の台間機は、例えば、特開２００２−１１２３８公報に開示されている。この公開公報に開示されている台間機では、台間機本体の裏面に後向きにコネクタが取り付けられ、ホルダ側には前向きにコネクタが取り付けられており、台間機本体をホルダに差し込むと、コネクタ同士の接続状態が自動的に形成されるので、給電用配線などの手間を不要にできるという特徴を備えている。
【０００６】
【発明が解決しようとする課題】
しかしながら、従来における台間機本体を着脱式とした構成の台間機では次のような問題がある。
【０００７】
まず、台間機は遊戯台の間の狭い空間を有効利用するために、台間機本体を遊戯台とほぼ同一の高さ寸法として、その中に制御部、電源部、カードリーダライタなどの必要な機構部を収納した構成となっている。このように縦長の台間機本体を遊戯台の間の奥に配置されているホルダに差し込む作業では、左右の遊戯台を傷つけないように、上下に長い台間機本体を縦長の狭い遊戯台間の隙間に位置決めし、注意しながらそこに差し込む必要があるので、簡単ではなく、作業性が悪い。同様に、台間機本体をホルダから取り外す作業においても、遊戯台間の狭い隙間から縦長の台間機本体を左右の遊戯台に当たらないように慎重に引き出す必要があるので、作業性が悪い。
【０００８】
また、台間機は、その設計段階からその仕様が特定されるので、設置後の仕様変更は基本的に不可能であり、台間機を新しい仕様により設計したものと交換する必要がある。例えば、使用可能な貨幣の種類が特定された状態で設計された貨幣識別機が搭載されている台間機において、後に異なる貨幣を使用可能にするためには貨幣識別機のみを交換することはできず、台間機全体を交換する必要がある。また、硬貨識別機のみが搭載されている台間機を、硬貨および紙幣の双方を使用可能なものとするためには、台間機全体のレイアウト等を変更して別機種として製品化しなければならない。さらには、貨幣や紙幣の識別機の代わりにカードを使用可能とする変更の場合にも同様である。
【０００９】
このように、従来の着脱式の台間機では、そのメンテナンス時等における台間機本体の着脱作業の作業性が悪く、また、仕様変更は台間機全体の設計変更が必要であるので経済的でないという問題がある。
【００１０】
本発明の課題は、このような点に鑑みて、台間機本体が着脱式となっている台間機において、台間機本体の着脱作業を簡単で迅速に行い得るようにすることにある。
【００１１】
また、本発明の課題は、台間機本体が着脱式となっている台間機において、台間機全体の設計変更を行うことなく、その仕様変更などを行い得るようにすることにある。
【００１２】
【課題を解決するための手段】
上記の課題を解決するために、本発明は、遊戯台の隣接位置に取り付けられているホルダと、このホルダに対して着脱可能に取り付けられている台間機本体とを有し、前記台間機本体は、遊戯台上下方向に分割された複数の台間機本体部分から構成され、各台間機本体部分は、前記ホルダに対して独立して着脱できるように取り付けられている台間機において、前記ホルダには、一台の第１の台間機本体部分と、同一形状および同一寸法の部分を備えた複数台の第２の台間機本体部分の中から選択された一台の第２の台間機本体部分とが装着されており、前記第１の台間機本体部分は制御器およびカードリーダライタを備えており、前記ホルダに取り付けられている中継器を介して、前記第１の台間機本体部分と前記第２の台間機本体部分とが電気的に接続されて、前記第１の台間機本体部分に備わっている前記制御器によって前記第２の台間機本体部分が制御され、前記第２の台間機本体部分を差し替えると台間機仕様が変更されることを特徴としている。
【００１３】
ここで、本発明では、前記第２の台間機本体部分は、紙幣識別機、硬貨識別機、灰皿、空気清浄機、および動画表示装置のうちの少なくとも一つを備えたもの、または、ダミー用の台間機本体部分であること特徴としている。
【００１８】
このようにすれば、目標とする仕様に対応する台間機本体部分を選択して、それらをホルダの各装着部に取り付ければよいので、従来のように一部の仕様が変更になった場合でも台間機全体を別機種として設計し直す必要が無くなるので、汎用的な台間機を実現でき、また、それを経済的に実現できる。
【００１９】
【発明の実施の形態】
以下に、図面を参照して本発明を適用した台間機の一例を説明する。
【００２０】
（全体構成）
図１は本例の台間機を示す正面図、側面図および背面図である。本例の台間機１は、遊戯島のパチンコ台などの遊戯台の隣接位置において遊戯島の骨組を構成している木枠（図示せず）に固定されるホルダ２と、このホルダ２に対して着脱可能に取り付けられた台間機本体３と、ホルダ２の背面に取り付けた外部通信用の中継器４から構成されている。
【００２１】
ホルダ２は上側ホルダ５と下側ホルダ６から構成されており、台間機本体３も上側台間機本体部分７と下側台間機本体部分８から構成されており、上側ホルダ５には上側台間機本体部分７が着脱可能な状態で取り付けられ、下側ホルダ６には下側台間機本体部分８が同じく着脱可能な状態で取り付けられている。従って、上側台間機本体部分７および下側台間機本体部分８はそれぞれ別個にホルダ２に対して着脱することが可能である。
【００２２】
（台間機本体）
図２および図３は、それぞれ、台間機本体３を構成している上側台間機本体部分７および下側台間機本体部分８を示す正面図、側面図および背面図である。図１ないし図３を参照して説明すると、本例の上側台間機本体部分７は、前面が開放した縦長の扁平な直方体形状をしたユニットケース７１と、このユニットケース７１の前面に取り付けた前面パネル７２と、ユニットケース７１の内部に搭載された紙幣識別機７３および硬貨識別機７４とを備えている。
【００２３】
本例では紙幣識別機７３が上側に配置されており、この紙幣識別機７３に対峙している前面パネル７２の部位には紙幣挿入口７２ａが形成されている。前面パネル７２における紙幣挿入口７２ａの下側の部位には硬貨挿入口７２ｂが形成されており、ここから硬貨識別機７４までの間には硬貨を硬貨識別機７４に導くためのシュート７４ａが形成されている。また、前面パネル７２の下端部分には硬貨排出口７２ｃが形成されており、硬貨識別機７４の下側には排出すべき硬貨を硬貨排出口７２ｃに導く排出用シュート７４ｂおよび回収すべき硬貨を台間機１の背面側に配置されている硬貨搬送路（図示せず）に導く回収用シュート７４ｃが形成されている。
【００２４】
ユニットケース７１の背面７１ａには、紙幣識別機７３に取り込まれた紙幣を台間機１の背面側に配置されている紙幣搬送路（図示せず）に導くための紙幣回収用スリット７１ｂおよび、硬貨を回収用シュート７４ｃから不図示の硬貨搬送路に導くための硬貨回収用スリット７１ｃが形成されている。また、背面７１ａには配線用のコネクタ７５が後向きの状態で取り付けられており、このコネクタ７５の先端面は背面７１ａとほぼ同一位置とされている。さらに、このコネクタ７５の上下には位置決め用のピン孔７６ａ、７６ｂが形成されている。コネクタ７５は給電用配線および、下側台間機本体部分８との間の通信用配線のためのものである。
【００２５】
次に、下側台間機部分８は、前面が開放した縦長の扁平な直方体形状をしたユニットケース８１と、このユニットケース８１の前面に取り付けた前面パネル８２と、ユニットケース８１の内部に搭載された制御器８３およびカードリーダライタ８４とを備えている。
【００２６】
制御器８３は、カードリーダライタ８４、上側台間機本体部分７の紙幣識別機７３および硬貨識別機７４の駆動を制御する制御回路部と、これらに対して電力を供給する電源回路部と、外部の上位側コンピュータ、例えば遊戯店のホストコンピュータとの間で通信を行うための通信制御部とを備えている。この制御器８３に対峙している前面パネル８２の部位にはテンキーおよび表示器が備わった操作部８２ａが取り付けられている。また、カードリーダライタ８４に対峙している前面パネル８２の部位にはカード挿入・排出口８２ｂが形成されている。さらに、ユニットケース８１の背面８１ａにおける制御器８３に対峙した部位には配線用のコネクタ８５が後向きの状態で取り付けられており、このコネクタ８５の先端面は背面８１ａとほぼ同一位置とされている。このコネクタ８５の上下には位置決め用のピン孔８６ａ、８６ｂが形成されている。コネクタ８５は、給電用配線、上側台間機本体部分７への給電用配線、上側台間機本体部分７との間の通信用配線、並びに外部に対する通信用配線のためのものである。なお、本例の台間機本体３を構成している上側台間機本体部分７および下側台間機本体部分８のユニットケース７１、８１は同一形状、同一寸法とされている。
【００２７】
（ホルダおよび中継器）
次に、図４は中継器４が取り付けられたホルダ２を示す側面図および背面図であり、図５は上側ホルダ５および下側ホルダ６を示す側面図、並びに中継器４を示す側面図である。図１、図４および図５を参照して説明すると、上側ホルダ５は、前側に開口した溝形断面の垂直金属枠５１と、この垂直金属枠５１の上端から前方に水平に延びている下側に開口した溝形断面の上側水平金属枠５２と、垂直金属枠５１の下端から前方に水平に延びている上側に開口した溝形断面の下側水平金属枠５３から構成されている。これらの金属枠５１、５２、５３は金属板をプレス加工することにより製作したものであり、下側水平金属枠５３の左右の側板部分５３ａ、５３ｂの後端部分が、垂直金属枠５１の左右の側板部分５１ａ、５１ｂの下端部分の内面に対してスポット溶接により固着されている。これに対して、上側水平金属枠５２は、垂直金属枠５１の左右の側板部分５１ａ、５１ｂの間に挟持されており、上下にスライド可能となっている。
【００２８】
下側ホルダ６は上側ホルダ５と同一寸法のものであり、前側に開口した溝形断面の垂直金属枠６１と、この垂直金属枠６１の上端から前方に水平に延びている下側に開口した溝形断面の上側水平金属枠６２と、垂直金属枠６１の下端から前方に水平に延びている上側に開口した溝形断面の下側水平金属枠６３から構成されている。これらの金属枠６１、６２、６３は金属板をプレス加工することにより製作したものであり、下側水平金属枠６３は、左右の側板部分６３ａ、６３ｂが、垂直金属枠６１の左右の側板部分６１ａ、６１ｂの内面に対してスポット溶接により固着されている。同様に、上側水平金属枠６２の左右の側板部分６２ａ、６２ｂも、垂直金属枠６１の左右の側板部分６１ａ、６１ｂの内面にスポット溶接により固着されている。
【００２９】
このように構成された上側ホルダ５および下側ホルダ６は、上側ホルダ５の下側水平金属枠５３の底板部分５３ｃと、下側ホルダ６の上側水平金属枠６２の天板部分６２ｃとがスポット溶接によって相互に固着されて一体化して、ホルダ２を構成している。
【００３０】
ホルダ２の背面に取り付けられている中継器４は、ホルダ２の背面を構成している上下のホルダ５、６の垂直金属枠５１、６１の背面板部分５１ｃ、６１ｃとほぼ同一の幅の縦長の直方体形状をしており、その上半部分が上ホルダ５の背面に固定され、その下半部分が下ホルダ６の背面に固定されている。また、中継器４の前面４ａにおける上下対称の位置には、それぞれ上側コネクタ４１および下側コネクタ４２が前向きに取り付けられている。各コネクタ４１、４２の上下にはそれぞれ、位置決め用のピン４３ａ、４３ｂおよび４４ａ、４４ｂが前方に水平に突出している。
【００３１】
ここで、上ホルダ５の背面（垂直金属枠５１の背面板部分５１ｃ）および下ホルダ６の背面（垂直金属枠６１の背面板部分６１ｃ）には、上下対称の状態で同一寸法の矩形開口５１ｄ、５１ｅおよび６１ｄ、６１ｅが形成されている。中継器４を取り付けた状態では、矩形開口５１ｅおよび６１ｄを介して、コネクタ４１およびピン４３ａ、４３ｂ、コネクタ４２およびピン４４ａ、４４ｂがホルダ２の背面から前方に突出した状態になる。なお、中継器４には、回収された硬貨を遊戯島の硬貨搬送路に導くための矩形の切り欠き４５が形成されている。
【００３２】
このように、本例のホルダ２を構成している上ホルダ５および下ホルダ６は、上ホルダ５の上側水平金属枠５２がスポット溶接されていないという点を除いて、同一形状および同一寸法である。
【００３３】
（実施例の作用効果）
本例の台間機１では、上ホルダ５および下ホルダ６を製作し、これらを上下に結合してホルダ２を構成する。ホルダ２の背面に中継器４を取り付けた後に、遊戯台の隣接位置において遊戯島の骨組みを構成している木枠（図示せず）に対してホルダ２の上下の水平金属枠５１、水平金属枠６２を固定する。遊戯島の上下の木枠間隔にばらつきがあっても、上側の水平金属枠５１を上下にスライドさせることにより対応できる。
【００３４】
ホルダ２を取り付けた後は、前側から、上側台間機本体部分７をホルダ２の上側ホルダ５における上下の水平金属枠５２、５３によって規定される部分（装着部）に差し込み、そのユニットケース７１の背面を上側ホルダ５の垂直金属枠５１の背面板部分５１ｃに当たる状態を形成する。この時、背面板部分５１ｃから前方に突出している上下一対のピン４３ａ、４３ｂが、差し込まれた上側ホルダ５の背面に形成されているピン孔７６ａ、７６ｂに嵌る。これにより、ホルダ２側の上側コネクタ４１と上側台間機本体部分７の側のコネクタ７５が位置決めされて、相互に結合される。
【００３５】
同様に、下側台間機本体部分８をホルダ２の下側ホルダ６における上下の水平金属枠６２、６３によって規定される部分（装着部）に差し込むことにより、当該下側ホルダ６に取り付ける。下側台間機本体部分８を差し込むことにより、そのコネクタ８５がホルダ２の側の下側コネクタ４２に差し込まれて相互に結合する。
【００３６】
この結果、図１に示すように、ホルダ２に台間機本体３が取り付けられた状態が形成される。この状態では、ホルダ２の背面に取り付けられている中継器４は、上側コネクタ４１および上側台間機本体部分７のコネクタ７５を介して、紙幣識別機７３および硬貨識別機７４に接続され、下側コネクタ４２および下側台間機本体部分８のコネクタ８５を介して、制御器８３およびカードリーダライタ８４に接続されている。
【００３７】
中継器４にはその背面側から電力供給配線が接続され、また、外部のホストコンピュータなどとの間で通信を行うためのケーブル配線が接続される。この結果、中継器４を介して、上下に分割されている上側台間機本体部分７および下側台間機本体部分８が電気的に相互に接続され、また、中継器４を介してこれらの台間機部分７、８が外部のホストコンピュータなどに電気的に接続された状態が形成される。
【００３８】
遊戯台の隣接位置に設置された台間機１によるパチンコ玉等の遊戯媒体の貸し出し動作は、例えば、次のように行われる。台間機１の前面パネル（７２、８２）に形成されているカード挿入・排出口８２ｂからプリペイドカードを挿入して、操作部のキー操作を行って希望交換金額を入力する。制御器８３は入力信号に基づき、カードリーダライタ８４を制御して挿入されたカードの記憶金額を減算して書き換え処理を行いカードを返却させる。また、貸し出すべき遊戯媒体の数に関する情報を隣接する遊戯台の側に中継器４を介して送信すると共にホストコンピュータの側にも送信する。遊戯台の側では受信内容に基づき遊戯媒体の貸し出しを行う。紙幣あるいは硬貨が投入された場合にも、制御器４の制御の下に、上側台間機本体部分７に収納されている紙幣識別機７３あるいは硬貨識別機７４によって投入金額が検出され、これに対応する数の遊戯媒体の貸し出しが、隣接の遊戯台において行われる。
【００３９】
本例の台間機１では、そのホルダ２に着脱可能に取り付けられている台間機本体３が上下に二分割された構成となっており、また、双方を個別に着脱することが可能である。従って、上下に長い台間機本体を着脱する場合に比べて、台間機本体３の着脱作業を簡単に行うことができる。
【００４０】
また、本例では下側台間機本体部分８に制御器８３およびカードリーダライタ８４を収納し、磁気カードあるいはＩＣカードなどのプリペイドカードを用いて遊戯媒体の貸し出しを行うことを基本としている。従って、上側台間機本体部分７として、紙幣識別機７３のみが内蔵されたユニット、硬貨選別機７４のみが内蔵されたユニット、あるいは灰皿を備えたユニット、空気清浄機を備えたユニット、テレビやタッチパネル式モニタが収納されたユニットなどに変更することができる。さらには玉通路、玉計数器、玉貸ノズルなどを備えたユニットを用意すれば、遊戯台に玉を貸し出す台間玉貸機にも変更することができ、遊戯媒体の投入口や計数器、後部排出口などを備えたユニットを用意すれば貯玉、貯メダル機能を備えたユニットに変更することもできる。
【００４１】
すなわち、上側台間機本体部分７のユニットケース７１と同一形状および寸法のユニットケースと、中継器４の上側コネクタ４１に接続可能なコネクタとを備えた各種の上側台間機本体部分を用意しておけば、希望に応じて、各種のユニットに交換することができる。また、カードリーダライタ８４のみが必要な場合には、ユニットケースと前面パネルのみからなるダミーの上側台間機本体部分を用意しておき、これを取り付ければよい。
【００４２】
勿論、カードリーダライタを基本とする代わりに、例えば紙幣識別機を基本とすることもできる。この場合には、制御器と紙幣識別機を下側台間機本体部分８あるいは上側台間機本体部分７に収納した構成とし、他方の台間機本体部分として各種のものを用意しておけばよい。
【００４３】
また、本例では、上下に分割された台間機本体３の背面に単一の中継器４を取り付け、この中継器４に配置した上下のコネクタ４１、４２を介して、各台間機本体部分７、８との電気的な接続をとるようにしている。従って、ホルダ２に上下の台間機本体部分７、８を差し込むだけでこれらの間が電気的に接続されるので、上下に分割した台間機３の配線を簡単に形成できる。
【００４４】
さらに、中継器４を介して、下側台間機本体部分８に収納されている制御器８３と上側台間機本体部分７に収納されている紙幣識別機７３および硬貨識別機７４との間の電気的接続も形成される。よって、単一の制御器８３を用いて上下に分割された台間機部分７、８に収納されている各機構部（７３、７４、８４）を制御できるので便利である。
【００４５】
次に、本例の台間機１では、ホルダ２も上下に分割した構成としてある。従って、上下に長いホルダ２の構成枠をプレス成形する場合に比べて、半分の長さの垂直枠５１、６１をプレス成形すればよいので、プレス金型のコストを低減できるという利点がある。また、分割された上ホルダ５および下ホルダ６を同一形状および同一寸法として、その構成部品を共通化してあるので、プレス金型の種類を増やす必要がなく、部品管理も容易であり、上下のホルダ製作も容易になる。
【００４６】
（その他の実施の形態）
上記の例は、台間機本体を上下に二分割すると共にホルダも同様に上下に二分割した構造のものであるが、台間機本体およびホルダを上下に三分割以上とすることも可能である。また、ホルダを分割せずに、台間機本体のみを上下に分割して、ホルダには分割した台間機本体部分を装着可能な装着部を形成することも可能である。
【００４７】
また、台間機本体を三分割以上とする場合に、単一の中継器４を用いる場合には、当該中継器４に対応する数のコネクタを取り付け、これらのコネクタに接続可能なコネクタを各台間機本体部分に取り付ければよい。
【００４８】
【発明の効果】
以上説明したように、本発明の台間機では、その台間機本体が上下に複数に分割された台間機本体部分から構成され、各台間機本体部分が個別にホルダに対して着脱可能となっている。従って、上下に細長い台間機をホルダに対して着脱する従来の場合に比べて、台間機本体の着脱作業を簡単に行うことができる。
【００４９】
また、本発明では、ホルダに同一の装着部を複数形成し、これらの装着部に着脱可能に装着できるように各台間機本体部分には同一寸法の部分を形成してある。従って、異なる機能を備えた各種の台間機本体部分を用意しておけば、必要な機能を備えた台間機本体部分を選択してホルダの各装着部に装着することにより、所望の台間機を簡単に実現できる。従って、本発明によれば汎用性が高く、レイアウトや仕様変更を簡単に行うことのできる台間機を実現できる。
【図面の簡単な説明】
【図１】（ａ）、（ｂ）および（ｃ）は、本発明を適用した台間機を示す正面図、側面図および背面図である。
【図２】（ａ）、（ｂ）および（ｃ）は、図１の台間機における台間機本体を構成している上側台間機本体部分を示す正面図、側面図および背面図である。
【図３】（ａ）、（ｂ）および（ｃ）は、図１の台間機における台間機本体を構成している下側台間機本体部分を示す正面図、側面図および背面図である。
【図４】（ａ）および（ｂ）は、図１の台間機における中継器が取り付けられた状態のホルダを示す側面図および背面図である。
【図５】（ａ）および（ｂ）は、図４のホルダを構成している上側ホルダを示す側面図および下側ホルダを示す側面図であり、（ｃ）はホルダに取り付けられている中継器を示す側面図である。
【符号の説明】
１    台間機
２    ホルダ
３    台間機本体
４    中継器
４１、４２  コネクタ
４３ａ、４３ｂ、４４ａ、４４ｂ  位置決め用のピン
５    上側ホルダ
６    下側ホルダ
５１、６１  垂直金属枠
５２、６２  上側水平金属枠
５３、６３  下側水平金属枠
７    上側台間機本体部分
７１  ユニットケース
７２  前面パネル
７３  紙幣識別機
７４  硬貨識別機
７５  コネクタ
８    下側台間機本体部分
８１  ユニットケース
８２  前面パネル
８３  制御器
８４  カードリーダライタ
８５  コネクタ
【図１】
0003838937.tif 000002
【図２】
0003838937.tif 000003
【図３】
0003838937.tif 000004
【図４】
0003838937.tif 000005
【図５】
0003838937.tif 000006